(57)【要約】【課題】閉止状態にある建築物の開閉具と地面（床面）との隙間からの浸水を防止する機能に優れ、設置作業および撤収作業も容易な浸水防止具を提供する。【解決手段】浸水防止具１は、上面および下面が透水性シート材２ｃで形成された平面形状が長方形の袋体２と、この袋体２内に収容された粉粒状の高分子吸水剤３と、この袋体２の一方の長辺２ａに沿ってシャッタ受け部４およびヒンジ部５を介して折り曲げ可能に接続された非透水性のシート材６と、シート材６を建築物のシャッタＳに着脱可能に固定するための係止手段としてシート材６の表面に固着された磁石７とを備え、袋体２の他方の長辺２ｂに沿って重り８が付設されている。建築物のシャッタＳが降りる部分をシャッタ受け部４が跨ぐように配置し、シャッタＳを閉止した後、シート材６の部分を起立方向に折り曲げてシャッタＳに固定することによって設置する。【選択図】  図１
2005061069.tif 000002
【特許請求の範囲】
【請求項１】
少なくとも一部が透水性を有するシート材で形成された袋体内に収容された高分子吸水剤と、前記袋体の一部に折り曲げ可能に接続された非透水性のシート材またはボード材と、前記シート材またはボード材を建築物の開閉具に着脱可能に固定するため前記シート材またはボード材に設けられた係止手段とを備えたことを特徴とする浸水防止具。
【請求項２】
前記袋体の少なくとも一部に、沈水性を有する重りを付設した請求項１記載の浸水防止具。
【請求項３】
前記重りを、前記シート材または前記ボード材と前記袋体を挟んで対向する位置に付設した請求項２記載の浸水防止具。
【請求項４】
前記袋体の内部に、沈水性を有する重りを収容した請求項１記載の浸水防止具。
【請求項５】
前記係止手段として、磁石、吸盤、紐材、線材、管状体、棒状体のいずれかを設けた請求項１記載の浸水防止具。
【発明の詳細な説明】
【技術分野】
【０００１】
本発明は、集中豪雨などによって冠水した道路上の水が店舗、事務所あるいは倉庫などの建築物内に浸入するのを防止するために使用する浸水防止具に関する。
【背景技術】
【０００２】
台風の到来あるいは集中豪雨などによって舗装道路の多い都市部に大量の雨が降ると、既設の排水設備では対処できず道路が冠水することがある。このとき、道路上に溜まった水は、道路を走行する車両のタイヤによって波あるいは飛沫となって道路側方へ広がり、道路沿いの店舗や事務所などの出入口を閉止しているシャッタやドアなどの開閉具と地面（床面）との隙間を通過して建物内に浸入することが多い。道路上に溜まった水は、いわゆる泥水であるため、このような水が建物内に浸入すると、建築物の内部にある物品や建築物の内装を汚損することとなる。
【０００３】
このような被害を防止するには、台風が到来したり、集中豪雨が降ったりする前に、シャッタなどの開閉具と地面との隙間などを、土嚢などの防水部材を用いて塞いでおくことが望ましいのであるが、普段から土嚢などの防水部材を準備しておくことは困難である。そこで、緊急事態に備えて予め配置できる吸水性高分子を用いた水土嚢が開発されている（例えば、特許文献１参照。）。
【０００４】
【特許文献１】特開２０００−２０６２６号公報（第６−１２頁）
【発明の開示】
【発明が解決しようとする課題】
【０００５】
特許文献１に記載された水土嚢は、土嚢に入れる土を確保することが容易ではない都市部などにおいても使用できるので便利である。しかしながら、吸水性高分子を有する吸水体が吸水して膨張した後は、従来の土嚢と同様の機能しか発揮しないので、閉じられた状態にある建築物のシャッタやドアと地面（床面）との隙間からの浸水を防止することが困難である。
【０００６】
本発明が解決しようとする課題は、閉止状態にある建築物の開閉具と地面（床面）との隙間からの浸水を防止する機能に優れ、設置作業および撤収作業も容易な浸水防止具を提供することにある。
【課題を解決するための手段】
【０００７】
本発明の浸水防止具は、少なくとも一部が透水性を有するシート材で形成された袋体内に収容された高分子吸水剤と、この袋体の一部に折り曲げ可能に接続された非透水性のシート材またはボード材と、これらのシート材またはボード材を建築物の開閉具に着脱可能に固定するためシート材またはボード材に設けられた係止手段とを備えたことを特徴とする。ここで、高分子吸水剤とは、乾燥状態では粉粒状であるが、水分を吸収するとゲル化して膨張する性質を有する物質をいい、建築物の開閉具とはシャッタ、ドア、引き戸など建築物の出入り口を開閉する機能を有する器具および部材をいう。
【０００８】
高分子吸水剤が収容された袋体の部分を、例えば、開閉具の一つであるシャッタの外側の地面上に置き、非透水性のシート材またはボード材の部分をシャッタ内側の床面上に置き、袋体と、シート材またはボード材との境界部分を建築物のシャッタが降りる位置に配置した後、シャッタを通常通り降ろして閉止状態とし、シート材またはボード材をシャッタ内面に向かって起立する方向に折り曲げ、係止手段を用いてシート材またはボード材をシャッタに固定すれば、設置作業が完了する。
【０００９】
この状態で雨が降れば、透水性シート部分を透過して袋体内に浸入した雨水によって高分子吸水剤が膨張して袋体全体が大きく膨張する結果、膨張した袋体によってシャッタと地面との隙間が塞がれた状態となるため、閉じられた状態にある建築物のシャッタと地面との隙間からの浸水を防止することができる。なお、浸水防止具を所定通り設置した後、袋体に散水して高分子吸水剤を吸水させることにより、予め袋体を膨張させておくこともできる。このように、設置後、すぐに袋体を吸水膨張させておけば、当該袋体部分の重量が乾燥時よりも増大して重りの役目も果たすので、降雨前の風によって浸水防止具が移動したり、飛ばされたりすることを防止することができる。
【００１０】
一方、その他の設置方法として、高分子吸水剤が収容された袋体の部分を、閉止状態にある開閉具の外側の地面上に置き、非透水性のシート材またはボード材の部分を開閉具の外面に対向するように起立させ、係止手段を用いてシート材またはボード材を開閉具に固定する、という方法をとることもできる。この設置方法であれば、開閉具と地面（床面）との隙間に浸水防止具の一部を挟み込む必要がないので、ドア、引き戸などのように、浸水防止具の一部を前記隙間に挟み込むことが困難な開閉具に設置する場合に好適である。
【００１１】
このように、建築物のシャッタが降りる部分を跨ぐようにして浸水防止具を載置し、当該シャッタを通常通り閉止状態にした後、シート材またはボード材を起立方向に折り曲げてシャッタに固定したり、あるいは浸水防止具の袋体の部分を、閉止した開閉具の外側の地面上に置き、非透水性のシート材またはボード材の部分を開閉具の外面に対向するように起立させ、シート材またはボード材を開閉具に固定したりするだけで良いので設置作業は容易である。また、使用後は、シート材またはボード材をシャッタから離脱させシャッタを揚げて開放状態とするか、シート材またはボード材をシャッタから離脱させれば、浸水防止具を現場から移動させることが可能となるため、撤収作業も容易である。
【００１２】
なお、前述したように、本発明に係る浸水防止具の設置場所となる開閉具はシャッタに限定するものではないので、開閉具の下縁部分と地面（床面）との間に、前記袋体とシート材またはボード材との境界部分を配置可能な隙間を確保できるものであれば、蝶番によって開閉するドアあるいは下縁部分に戸車やレールのない吊り戸や引き戸などの開閉具に対しても使用することができる。また、浸水防止具を開閉具の外側に設置する方法をとれば、開閉具の下縁部分と地面（床面）との隙間の大小あるいは開閉具の開閉機構の相違に左右されることなく、様々な開閉具に対して使用することができる。
【００１３】
ここで、前記袋体の少なくとも一部に沈水性を有する重りを付設することが望ましい。このような重りを付設すれば、設置後の浸水防止具の安定性が高まるため、浸水防止具が風雨などによって移動するのを防止することができるだけでなく、シャッタ外側の水嵩の増加によって浸水防止具が浮上したり、流失したりすることも防止することができる。この場合、重りとしては、水よりも比重の大きな素材で形成された砂状体や粒状体を柔軟な袋体の内部に充填して形成したものが好適である。このような重りであれば、歩行者の足が誤って接触したときに負傷することもないので、安全である。
【００１４】
この場合、前記重りを、シート材またはボード材と袋体を挟んで対向する位置に付設することが望ましい。このような位置に重りを付設すれば、浸水防止具を所定の状態に設置したとき、袋体の部分は、当該袋体を挟んで対向位置にある重りとシャッタとによって挟持された状態となるため、設置後の浸水防止具の安定性がさらに高まる。
【００１５】
一方、前記袋体の内部に、沈水性を有する重りを収容した構成とすることもできる。袋体の内部に重りを収容すれば、浸水防止具を所定の状態に設置したとき、シャッタの外側に位置する部分を小型化することができるため、シャッタの外側付近を通行する歩行者などへの影響を軽減することができる。この場合、袋体の内部に収容する重りとしては、水よりも比重の大きな素材で形成された砂状体、粒状体、板状体、球状体、線状体などが好適である。
【００１６】
また、前記係止手段としては、磁石、吸盤、紐材、線材のいずれかを設けることが望ましい。これらの係止手段はシャッタ面の材質、形状に応じて使い分ける必要があるが、磁石や吸盤を設ければ着脱作業が容易となり、紐材や線材を設ければ水に濡れても離脱するおそれのない確実な係止を行うことができる。
【００１７】
さらに、前記係止手段として、建築物の開閉具と地面（床面）との隙間を通過不能な係止部材である管状体あるいは棒状体をシート材の一部に取り付けた構成とすることもできる。このような構成とすれば、袋体の部分を開閉具の外側の地面上に置き、係止部材を開閉具内側の床面上に置き、袋体と係止部材との境界部分であるシート材を開閉具と地面（床面）との隙間に挟んだ状態とすることにより、浸水防止具を閉止した開閉具に係止することができる。これによって強力かつ確実な係止状態を得ることができる。
【発明の効果】
【００１８】
本発明により、以下に示す効果を奏する。
【００１９】
（１）少なくとも一部が透水性を有するシート材で形成された袋体内に収容された高分子吸水剤と、この袋体の一部に折り曲げ可能に接続された非透水性のシート材またはボード材と、これらのシート材またはボード材を建築物の開閉具に着脱可能に固定するためシート材またはボード材に設けられた係止手段とを備えたことにより、シート材またはボード材と袋体との境界部分が閉止状態にある開閉具の下縁部分の隙間に位置するように浸水防止具を設置した後、シート材またはボード材を起立方向に折り曲げて開閉具に固定しておけば、雨水によって袋体が膨張して開閉具と地面との隙間を塞ぐので、当該隙間からの浸水を防止することが可能であり、設置作業および撤収作業も容易である。
【００２０】
（２）前記袋体の少なくとも一部に沈水性を有する重りを付設すれば、設置後の浸水防止具の安定性が高まるため、浸水防止具が風雨などで移動するのを防止することができ、開閉具外側の水嵩増加によって浸水防止具が浮上したり、流失したりするのを防止することができる。
【００２１】
（３）前記重りを、シート材またはボード材と袋体を挟んで対向する位置に付設すれば、浸水防止具を所定の状態に設置したとき、袋体の部分は、当該袋体を挟んで対向位置にある重りと開閉具とによって挟持された状態となるため、設置後の浸水防止具の安定性がさらに高まる。
【００２２】
（４）前記袋体の内部に、沈水性を有する重りを収容すれば、浸水防止具を所定の状態に設置したとき、開閉具の外側に位置する部分を小型化することができるため、開閉具の外側付近を通行する歩行者などへの影響を軽減することができる。
【００２３】
（５）前記係止手段として、磁石や吸盤を設ければ開閉具に対する着脱作業が容易となり、紐材や線材を設ければ水に濡れても離脱するおそれのない確実な係止を行うことができるようになり、管状体あるいは棒状体を設ければ強力かつ確実な係止状態を得ることができる。
【発明を実施するための最良の形態】
【００２４】
以下、本発明の実施の形態を図面に基づいて説明する。図１は本発明の第１実施形態である浸水防止具を示す平面図であり、図２は図１に示す浸水防止具を折り畳んだ状態で示す側面図であり、図３は図１におけるＡ−Ａ線断面図であって、シート材を起立させた状態で示す一部省略断面図である。
【００２５】
図１〜図３に示すように、本実施形態の浸水防止具１は、上面および下面が透水性シート材２ｃで形成された平面形状が長方形の袋体２と、この袋体２内に収容された粉粒状の高分子吸水剤３と、この袋体２の一方の長辺２ａに沿ってシャッタ受け部４およびヒンジ部５を介して折り曲げ可能に接続された非透水性のシート材６と、シート材６を建築物のシャッタＳに着脱可能に固定するための係止手段としてシート材６の表面に固着された磁石７とを備え、袋体２の他方の長辺２ｂに沿って重り８が付設されている。
【００２６】
本実施形態においては、透水性シート材２ｃとして不織布の一つであるユニチカ株式会社の「エルベスＴＯ５０３（商品名）」を使用し、高分子吸水剤３として三菱化学株式会社の「サンウェット（商品名）」を使用している。この高分子吸水剤３は、乾燥状態では粉粒状であるが、水分を吸収するとゲル化して膨張する性質を有している。
【００２７】
使用前の状態における浸水防止具１は、図１に示すように、平板状態であるが、図２に示すように、ヒンジ部５を中心に折り曲げ自在である。このため、使用前の段階では、シート材６の部分をヒンジ部５を中心に１８０度折り曲げることにより、袋体２の上面を覆う状態まで折り畳むことが可能であり、これによって運搬および収納スペースを小さくすることができる。
【００２８】
また、図３に示すように、袋体２の長辺２ｂに沿って付設された重り８は、その全体形状が半円柱形状であり、水より比重の大きな砂状体８ｂを柔軟な袋材８ａ中に充填することによって形成されたものである。
【００２９】
次に、図４，図５を参照して、浸水防止具１の使い方について説明する。図４に示すように、高分子吸水剤３（図３参照）が収容された袋体２および重り８の部分をシャッタＳの外側の歩道９上に置き、非透水性のシート材６の部分をシャッタＳの内側の床面１０上に置き、袋体２と、シート材６との境界部分であるシャッタ受け部４をシャッタＳが降りる位置に配置する。そして、シャッタＳを通常通り降ろして閉止状態とした後、シート材６をシャッタＳ内面に向かって起立する方向に折り曲げ、磁石７を用いてシート材６をシャッタＳに固定すれば、設置作業が完了する。このとき、シャッタＳの下縁部Ｓ１が、袋体２の長辺２ａ付近およびシャッタ受け部５に接触するような位置に浸水防止具１を設置することが望ましい。
【００３０】
このような状態に設置した後、雨が降ると、透水性シート２ｃ部分を透過して袋体２内に浸入した雨水によって高分子吸水剤３が膨張して袋体２全体が大きく膨張する結果、膨張した袋体２の長辺２ａ部分によってシャッタＳと床面１０との隙間が塞がれた状態となるため、閉じられた状態にある建築物のシャッタＳと床面１０との隙間からの浸水を防止することができる。
【００３１】
したがって、図５に示すように、車道１１に溜まった泥水１２が、走行中の自動車の車輪Ｗによって歩道９上に押し上げられることがあっても、これらの泥水１２がシャッタＳの内側に浸水することがない。
【００３２】
前述したように、浸水防止具１は、建築物のシャッタＳが降りる部分を跨ぐようにして設置し、当該シャッタＳを通常通り閉止した後、シート材６の部分を起立方向に折り曲げてシャッタＳに固定するだけで良いので設置作業は容易である。また、使用後は、シート材６の部分をシャッタＳから離脱させた後、シャッタＳを揚げて開放状態とすれば、浸水防止具１を現場から移動させることが可能となるため、撤収作業も容易である。なお、撤収した後の浸水防止具１は、風通しの良い場所で天日などに干しておけば、高分子吸水剤３中の水分が透水性シート２ｃを通して徐々に蒸発して、袋体２が元の状態に戻るので、収納スペースを小さくすることができ、再使用することも可能である。なお、浸水防止具１の袋体２の部分を塩水に浸漬すれば、塩水と接触することで高分子吸水剤３中の水分が失われるので、このような方法によっても袋体２の収縮を図ることができる。即ち、前記天日干しのほか、このような塩水浸漬方法によっても浸水防止具１のリサイクル使用が可能であり、使い捨て方式に比べ、廃棄物処理の軽減を図ることができる。
【００３３】
また、袋体２の長辺２ｂに沿って沈水性を有する重り８を付設しているため、設置後の浸水防止具１の安定性は良好であり、風雨あるいは車輪Ｗによって発生した泥水１２の波などによって浸水防止具１が移動することがない。さらに、シャッタＳの外側の水嵩が増加したときにおいても、浸水防止具１が浮上したり、流失したりするのを防止することができる。重り８は、柔軟な袋材８ａ内に砂状体８ｂを充填したものであるため、歩道９を歩いている歩行者の足が誤って接触しても負傷することがなく、安全である。
【００３４】
重り８は、袋体２を挟んでシート材６と対向する位置に付設しているため、浸水防止具１を所定状態に設置したとき、袋体２の部分は、重り８とシャッタＳとによって挟持された状態となるため、設置後の浸水防止具１の安定性は非常に良好である。なお、シート材６に相当する部分に、ボード材を配置した構造とすることも可能であり、このような構造とすれば、シャッタＳの内側における起立機能が高まるので、浸水防止に有効である。
【００３５】
次に、図６を参照して本発明の第２実施形態である浸水防止具２０について説明する。本実施形態の浸水防止具２０は、上面および下面が透水性シート材２ｃで形成された平面形状が長方形の袋体２と、袋体２内に収容された粉粒状の高分子吸水剤３と、袋体２の一方の長辺２ａに沿ってヒンジ部５を介して折り曲げ可能に接続された非透水性のシート材６と、シート材６を建築物のシャッタＳに着脱可能に固定するための係止手段としてシート材６の裏面に固着された磁石７とを備え、袋体２の他方の長辺２ｂに沿って重り８が付設されている。
【００３６】
浸水防止具２０の場合、磁石７がシート材６の裏面に固着されているため、図６に示すように、シャッタＳの外側に設置して使用することができ、前述した、浸水防止具１と同様の機能、効果を発揮する。浸水防止具２０は、シート材６の部分をシャッタＳの外側に配置して使用するため、シャッタＳの外側の水位１３が上昇してシート材６に加わる水圧が増大したとき、シート材６はシャッタＳの表面に押しつけられることとなる。このため、水位１３が上昇してもシート材６がシャッタＳから離脱することがなく、優れた浸水防止機能を発揮する。
【００３７】
また、浸水防止具２０は、シャッタＳの外側に設置して使用できるため、地面（床面）との間の隙間が小さい引き戸、ドアなどの開閉具あるいは、浸水防止具１が設置できない開閉具に対しても容易に設置することができ、どのような開閉具に設置した場合でも優れた浸水防止機能が得られる。その他の機能、効果については、前述した浸水防止具１と同様である。
【００３８】
次に、図７，図８を参照して、本発明の第３実施形態である浸水防止具３０について説明する。本実施形態の浸水防止具３０は、前述した浸水防止具１と同様、袋体２および重り８を備え、袋体２の長辺２ａに沿って折り曲げ可能に形成されたシャッタ受け部４と、シャッタ受け部４に沿って袋体２と同じ素材で形成された筒状部３１と、この筒状部３１内に出し入れ可能に挿入された円管状の係止部材３２とを備えている。なお、本実施形態では、袋体２の長辺２ａからシート材２ｃを延設し、長辺２ａと平行なその辺縁部を、袋体２方向へ折り返し、長辺２ａからシャッタ受け部４の幅に相当する距離だけ離れた位置で縫合することにより、筒状部３１およびシャッタ受け部４を形成している。
【００３９】
図８に示すように、浸水防止具３０は、シャッタＳと床面１０との隙間にシャッタ受け部４を挟んだ状態にして設置することができ、これによって、前述した浸水防止具１，２０と同様の機能、効果を得ることができる。浸水防止具３０の場合、シャッタ受け部４をシャッタＳと床面１０との隙間に挟むだけで設置することができるので、設置作業はもちろん撤収作業も容易である。また、シャッタＳの幅方向に連続した係止部材３２によってシャッタＳに係止されるため、シャッタＳが上昇しない限り、係止部材３２が挿入された筒状部３１が前記隙間から離脱することはなく、使用中は確実かつ強力な係止状態を発揮する。浸水防止具３０は、浸水水位が比較的低い場合に好適であり、製造コストも安価である。なお、係止部材３２は筒状部３１内に出し入れ可能であるため、設置前に係止部材３２を筒状部３１から取り外しておき、シャッタ受け部４をシャッタＳと床面１０との隙間に挟んだ後に、係止部材３２を筒状部３１に挿入する、という使い方をすることもできる。
【００４０】
次に、図９，図１０を参照して、本発明の第４実施形態である浸水防止具４０について説明する。本実施形態の浸水防止具４０は、前述した浸水防止具３０と同様、袋体４３および重り８と、袋体４３の長辺４３ａに沿って折り曲げ可能に接続されたシャッタ受け部４と、シャッタ受け部４に沿って柔軟なシート材で形成された筒状部４１と、この筒状部４１内に出し入れ可能に挿入された円管状の係止部材４２とを備えている。また、袋体４３は、長辺４３ａ，４３ｂの間に位置する本体部４３ａと、長辺４３ａ，４３ｂと直交するように配置された副体部４３ｂとで構成されている。本体部４３ａと副体部４３ｂとは内部において互いに連通しているが、折り線４３ｄに沿った区画手段（例えば、縫い目や溶着部）を設けることによって本体部４３ａと副体部４３ｂとを独立した構造とすることもできる。
【００４１】
図１０に示すように、浸水防止具４０は、閉止状態にあるドア４５と床面（図示せず）との隙間にシャッタ受け部４を挟んだ状態にするとともに、副体部４３ｂを折り線４３ｄに沿って本体部４３ａ方向に折り曲げて起立状態にして、この副体部４３ｂの後縁部４３ｃが、ドア４４の蝶番４５が配置された側における隙間４６を塞ぐように設置することができる。これによって、前述した浸水防止具３０と同様の機能、効果が得られることに加え、ドア４６の構造上、浸水しやすい隙間４６からの浸水を副体部４３ｂによって防止することができる。
【００４２】
起立させた副体部４３ｂは、ドア４４付近の壁体４７によって支えるように設置することが望ましいが、壁体４７がない場合には、ブロックなどの重量物を適切な位置に載置することによって副体部４３ｂを起立状態に保持することができる。なお、折り線４３ｄに沿って縫い目や溶着部などの区画手段を設ければ、副体部４３ｂを容易に起立させることができるようになり、起立状態も安定するという効果が得られる。その他の機能、効果については、前述した浸水防止具３０と同様である。
【産業上の利用可能性】
【００４３】
本発明の浸水防止具は、台風や集中豪雨などによって道路が冠水した場合において、閉止状態にある建築物の出入口の開閉具と地面（床面）との隙間からの浸水を防止する手段として、様々な開閉具に対して広く利用することができる。
【図面の簡単な説明】
【００４４】
【図１】本発明の第１実施形態である浸水防止具を示す一部切欠平面図である。
【図２】図１に示す浸水防止具を折り畳んだ状態で示す側面図である。
【図３】図１におけるＡ−Ａ線断面図であって、シート材を起立させた状態で示す一部省略断面図である。
【図４】図１に示す浸水防止具の設置状態を示す側面図である。
【図５】図１に示す浸水防止具の設置状態を示す側面図である。
【図６】本発明の第２実施形態である浸水防止具の設置状態を示す側面図である。
【図７】本発明の第３実施形態である浸水防止具を示す一部切欠平面図である。
【図８】図７に示す浸水防止具の設置状態を示す側面図である。
【図９】本発明の第４実施形態である浸水防止具を示す一部切欠平面図である。
【図１０】図９に示す浸水防止具の設置状態を示す正面図である。
【符号の説明】
【００４５】
１，２０，３０，４０  浸水防止具
２，４３  袋体
２ａ，２ｂ，４３ａ，４３ｂ  長辺
２ｃ  透水性シート
３  高分子吸水剤
４  シャッタ受け部
５  ヒンジ部
６  シート材
７  磁石
８  重り
８ａ  袋材
８ｂ  砂状体
９  歩道
１０  床面
１１  車道
１２  泥水
１３  水位
３１，４１  筒状部
３２，４２  係止部材
４３ｃ  後縁部
４３ｄ  折り線
４４  ドア
４５  蝶番
４６  隙間
４７  壁体
Ｓ  シャッタ
Ｓ１  下縁部
Ｗ  車輪
【図１】
2005061069.tif 000003
【図２】
2005061069.tif 000004
【図３】
2005061069.tif 000005
【図４】
2005061069.tif 000006
【図５】
2005061069.tif 000007
【図６】
2005061069.tif 000008
【図７】
2005061069.tif 000009
【図８】
2005061069.tif 000010
【図９】
2005061069.tif 000011
【図１０】
2005061069.tif 000012